(57)【要約】【課題】本発明は、作業者の技量に関係なくはんだこてのこて先を清掃できるはんだこてクリーナ装置を提供することを目的とする。【解決手段】はんだこてクリーナ装置は、筐体１と、筐体１の内部に通じる差入口と、筐体１の内部に設けられ、回転する回転軸５と、回転軸５に取り付けられ、回転軸５が回転すると、差入口から筐体１の内部に差し入れられたはんだこてのこて先に繰り返し接触するシート６と、を備えたものである。【選択図】図１
2016002561.tif 000002
【特許請求の範囲】
【請求項１】
筐体と、
前記筐体の内部に通じる差入口と、
前記筐体の内部に設けられ、回転する回転軸と、
前記回転軸に取り付けられ、前記回転軸が回転すると、前記差入口から前記筐体の内部に差し入れられたはんだこてのこて先に繰り返し接触するシートと、
を備えたはんだこてクリーナ装置。
【請求項２】
前記筐体の内部に設けられ、前記回転軸が回転すると前記シートが繰り返し接触するくず取り棒を備えた請求項１に記載のはんだこてクリーナ装置。
【請求項３】
前記差入口は、前記筐体の開口面に取り付けられたカバーが有するスリットである請求項１又は２に記載のはんだこてクリーナ装置。
【請求項４】
前記差入口にはんだこてのこて先が差し入れられたことを検知する第１センサを備え、
前記回転軸は、前記第１センサの検知結果に基づいて回転を開始する請求項１から３のいずれか１項に記載のはんだこてクリーナ装置。
【請求項５】
はんだこてを支持するこて台を備え、
前記シートは、はんだこてが前記こて台に支持された状態で前記回転軸が回転すると、当該はんだこてのこて先に繰り返し接触する請求項１から４のいずれか１項に記載のはんだこてクリーナ装置。
【請求項６】
前記こて台にかかる重量を検知する第２センサを備え、
前記回転軸は、前記第２センサの検知結果に基づいて回転を開始する請求項５に記載のはんだこてクリーナ装置。
【請求項７】
前記筐体は、前記筐体の内部の底部を視認するための透明な部分を有する請求項１から６のいずれか１項に記載のはんだこてクリーナ装置。
【請求項８】
前記回転軸は、第１回転軸及び第２回転軸を備え、
前記シートは、
前記第１回転軸に取り付けられた第１シートと、
前記第２回転軸に取り付けられた第２シートと、
を備え、
前記第１シート及び前記第２シートは、前記第１回転軸及び前記第２回転軸が回転すると、前記差入口から前記筐体の内部に差し入れられたはんだこてのこて先の両側に交互に接触する請求項１から７のいずれか１項に記載のはんだこてクリーナ装置。
【発明の詳細な説明】
【技術分野】
【０００１】
本発明は、はんだこてクリーナ装置に関するものである。
【背景技術】
【０００２】
下記特許文献１には、ブラシを備えたはんだこてクリーナが記載されている。このはんだこてクリーナを用いてはんだこてのこて先を清掃する際に、作業者は、こて先をブラシに接触させつつ移動させる。
【先行技術文献】
【特許文献】
【０００３】
【特許文献１】特開２００５−１１１４９６号公報
【発明の概要】
【発明が解決しようとする課題】
【０００４】
特許文献１に記載のはんだこてクリーナを使用する際に、作業者は、はんだこてを動かす必要がある。このため、作業者の技量が乏しい場合、上記のはんだこてクリーナでは充分にはんだこてのこて先を清掃できない。
【０００５】
本発明は、上記の課題を解決するためになされた。その目的は、作業者の技量に関係なくはんだこてのこて先を清掃できるはんだこてクリーナ装置を提供することである。
【課題を解決するための手段】
【０００６】
本発明に係るはんだこてクリーナ装置は、筐体と、筐体の内部に通じる差入口と、筐体の内部に設けられ、回転する回転軸と、回転軸に取り付けられ、回転軸が回転すると、差入口から筐体の内部に差し入れられたはんだこてのこて先に繰り返し接触するシートと、を備えたものである。
【発明の効果】
【０００７】
本発明において、シートは、回転軸が回転すると、差入口から筐体の内部に差し入れられたはんだこてのこて先に繰り返し接触する。このため、本発明によれば、作業者の技量に関係なくはんだこてのこて先を清掃することができる。
【図面の簡単な説明】
【０００８】
【図１】本発明の実施の形態１におけるはんだこてクリーナ装置の一例を示す斜視図である。
【図２】本発明の実施の形態２におけるはんだこてクリーナ装置の一例を示す斜視図である。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、実施の形態１におけるはんだこてクリーナ装置の一例を示す斜視図である。以下、図１を参照して、はんだこてクリーナ装置の構成を説明する。
【００１１】
図１に示すように、はんだこてクリーナ装置は、筐体１を備えている。筐体１は、開口部及び透明部２を有している。開口部は、例えば、筐体１の上面に相当する開口面である。透明部２は、透明な部材で形成されている。透明部２は、例えば、筐体１の側面のうち透明に形成された１つの面である。透明部２は、例えば、筐体１の内部の底部を視認するために設けられている。
【００１２】
はんだこてクリーナ装置は、カバー３を備えている。カバー３は、筐体１の開口部に着脱可能に取り付けられている。カバー３は、スリット４を有している。スリット４は、筐体１の内部に通じる差入口として設けられている。差入口には、例えば、はんだこてのこて先が差し入れられる。スリット４は、カバー３において、透明部２に沿った一端部から対向する他端部にかけて長く形成されている。つまり、スリット４は、例えば、長さ方向が透明部２に沿った方向と直交するように形成されている。スリット４は、透明部２に沿った方向におけるカバー３の中央部に形成されている。つまり、スリット４は、例えば、幅方向が透明部２に沿うように形成されている。スリット４の幅は、調整可能である。
【００１３】
筐体１の内側及びカバー３は、はんだ及びはんだこてのこて先等の温度に対する耐熱性を有する材質で形成されている。また、筐体１の内側及びカバー３は、はんだ及びフラックス残渣等が固着しにくい材質で形成されている。筐体１の内側及びカバー３は、例えば、テフロン（登録商標）材又はテフロン（登録商標）コーティング材等で形成されている。
【００１４】
はんだこてクリーナ装置は、回転軸５、シート６及びくず取り棒７を備えている。回転軸５、シート６及びくず取り棒７は、筐体１の内部に設けられている。シート６は、回転軸５に取り付けられている。回転軸５及びくず取り棒７は、スリット４の長さ方向に沿って配置されている。くず取り棒７は、例えば、棒状のブラシ等である。
【００１５】
回転軸５は、第１回転軸５ａ及び第２回転軸５ｂを備えている。第１回転軸５ａ及び第２回転軸５ｂは、同じ高さに配置されている。第１回転軸５ａは、透明部２側から見て、スリット４から一定の距離だけ左側に配置されている。第２回転軸５ｂは、透明部２側から見て、スリット４から当該一定の距離だけ右側に配置されている。つまり、第１回転軸５ａと第２回転軸５ｂとは、透明部２側から見て、スリット４を中心として左右対称な位置に配置されている。
【００１６】
シート６は、複数の第１シート６ａ及び複数の第２シート６ｂを備えている。第１シート６ａ及び第２シート６ｂは、例えば、４枚ずつ設けられている。複数の第１シート６ａは、第１回転軸５ａに取り付けられている。複数の第２シート６ｂは、第２回転軸５ｂに取り付けられている。第２回転軸５ｂに対する第２シート６ｂの取り付け角度は、第１回転軸５ａに対する第１シート６ａの取り付け角度とは異なる。つまり、第１シート６ａ及び第２シート６ｂは、互いに接触しないように設けられている。第１シート６ａ及び第２シート６ｂは、同じ形状且つ同じ大きさに形成されている。透明部２側から見た第１シート６ａ及び第２シート６ｂの幅は、第１回転軸５ａと第２回転軸５ｂとの距離の半分よりも大きい。
【００１７】
くず取り棒７は、第１くず取り棒７ａ及び第２くず取り棒７ｂを備えている。第１くず取り棒７ａ及び第２くず取り棒７ｂは、回転軸５よりも低い位置に設けられている。第１くず取り棒７ａ及び第２くず取り棒７ｂは、同じ高さに配置されている。第１くず取り棒７ａは、透明部２側から見て、第１回転軸５ａから一定の距離だけ左側に配置されている。第２くず取り棒７ｂは、透明部２側から見て、第２回転軸５ｂから当該一定の距離だけ右側に配置されている。つまり、第１くず取り棒７ａ及び第２くず取り棒７ｂとは、透明部２側から見て、スリット４を中心として左右対称な位置に配置されている。第１くず取り棒７ａと第１回転軸５ａとの距離は、透明部２側から見た第１シート６ａの幅よりも短い。第２くず取り棒７ｂと第２回転軸５ｂとの距離は、透明部２側から見た第２シート６ｂの幅よりも短い。
【００１８】
回転軸５は、図示しないモータによって回転される。第１回転軸５ａは、透明部２側から見て、時計回りに回転する。第２回転軸５ｂは、透明部２側から見て、反時計回りに回転する。つまり、第２回転軸５ｂは、第１回転軸５ａとは逆方向に回転する。第１回転軸５ａ及び第２回転軸５ｂは、同じ速度で回転する。第１回転軸５ａ及び第２回転軸５ｂの回転は、同時に開始及び停止する。
【００１９】
シート６は、回転軸５の回転に伴って、筐体１の内部で回転移動する。シート６は、回転軸５が回転すると、スリット４の下側の空間を上から下へ移動する。シート６は、スリット４の下側の空間を通過した後、くず取り棒７に接触する。第１シート６ａは、スリット４の下側の空間を通過した後、第１くず取り棒７ａに接触する。第２シート６ｂは、スリット４の下側の空間を通過した後、第２くず取り棒７ｂに接触する。スリット４の下側の空間のうち、第１シート６ａが通過する領域及び第２シート６ｂが通過する領域は、一部重複する。第１シート６ａ及び第２シート６ｂは、回転軸５が回転している間も、互いに接触しない。
【００２０】
はんだこてクリーナ装置は、図示しない第１センサを備えている。第１センサは、差入口であるスリット４に物体が差し入れられたことを検知する。第１センサは、例えば、赤外線センサ等である。第１センサにより物体が検知されると、回転軸５を回転させるモータが駆動を開始する。第１センサにより物体が検知されなくなると、当該モータは駆動を停止する。つまり、回転軸５は、第１センサにより物体が検知されている間に回転する。一方、回転軸５は、第１センサにより物体が検知されていない間は回転しない。
【００２１】
以下、はんだこてクリーナ装置を用いたはんだこてのこて先の清掃動作の一例を説明する。はんだ付け作業において、はんだこてのこて先には、不要はんだ及びフラックス残渣等が付着する。作業者は、スリット４から筐体１の内部にこて先を差し入れる。第１センサは、スリット４にこて先が差し入れられたことを検知する。第１センサによりこて先が検知されると、回転軸５が回転を開始する。回転軸５が回転すると、シート６がこて先に繰り返し接触する。第１シート６ａは、透明部２側から見たこて先の左側部分に対し、上から下に移動しながら接触する。第２シート６ｂは、透明部２側から見たこて先の右側部分に対し、上から下に移動しながら接触する。第１シート６ａ及び第２シート６ｂは、こて先の両側に交互に接触する。こて先に付着している不要はんだ及びフラックス残渣等は、第１シート６ａ及び第２シート６ｂによって拭い取られる。第１シート６ａ及び第２シート６ｂに付着した不要はんだ及びフラックス残渣等を、「清掃くず」と呼ぶ。
【００２２】
シート６は、こて先に接触した後、くず取り棒７に接触する。第１シート６ａは、こて先に接触した後、第１くず取り棒７ａに接触する。第２シート６ｂは、こて先に接触した後、第２くず取り棒７ｂに接触する。第１シート６ａに付着していた清掃くずは、第１シート６ａが第１くず取り棒７ａに接触した際に除去される。第２シート６ｂに付着していた清掃くずは、第２シート６ｂが第２くず取り棒７ｂに接触した際に除去される。シート６から除去された清掃くずは、筐体１の内部の底部に落下する。シート６は、くず取り棒７に接触した後、再びこて先に接触する。
【００２３】
こて先がスリット４に差し入れられている間は、シート６は、こて先及びくず取り棒７に対して繰り返し接触する。作業者がスリット４からこて先を引き出すと、第１センサは、こて先を検知しなくなる。第１センサによりこて先が検知されなくなると、回転軸５は回転を停止する。
【００２４】
実施の形態１において、シート６は、回転軸５が回転すると、スリット４から筐体１の内部に差し入れられたはんだこてのこて先に繰り返し接触する。このため、作業者は、こて先をスリット４に差し入れた状態ではんだこてを保持するだけで、こて先を清掃できる。その結果、実施の形態１におけるはんだこてクリーナ装置によれば、作業者の技量に関係なくはんだこてのこて先を清掃することができる。
【００２５】
実施の形態１において、シート６は、回転軸５が回転すると、くず取り棒７に繰り返し接触する。これにより、シート６に付着した清掃くずが除去される。その結果、シート６を清浄に保ち、こて先への清掃くずの再付着を防止することができる。
【００２６】
実施の形態１において、筐体１の開口部には、差入口であるスリット４を有するカバー３が取り付けられている。このため、こて先の清掃時に、清掃くずが筐体１の外部に飛散することを防止できる。また、差入口がスリット状であるため、こて先を差し入れることができる範囲が限られている。このため、シート６に接触できない不適切な位置にこて先が差し入れられることを防止できる。その結果、作業者の技量に関係なくはんだこてのこて先を清掃することができる。
【００２７】
実施の形態１において、回転軸５は、第１センサの検知結果に基づいて回転を開始及び停止する。このため、こて先がスリット４に差し入れられていない状態で回転軸５が回転し続けることを防止できる。その結果、無駄な電力消費を抑制することができる。
【００２８】
実施の形態１において、筐体１は、透明部２を有している。作業者は、シート６、くず取り棒７及び筐体１の内部の底部等を透明部２から視認できる。このため、作業者は、筐体１の内部に溜まった清掃くずを容易に確認できる。その結果、筐体１の内部を清掃する必要があるか否かを容易に判定できる。
【００２９】
実施の形態１において、第１シート６ａ及び第２シート６ｂは、第１回転軸５ａ及び第２回転軸５ｂが回転すると、こて先の両側に交互に接触する。これにより、こて先を効率良く且つ偏りなく清掃できる。
【００３０】
実施の形態１において、シート６は、上から下に移動しながらこて先に接触する。また、くず取り棒７は、回転軸５よりも低い位置に設けられている。このため、こて先及びシート６から除去された清掃くずが上向きに飛散することを抑制出来る。その結果、清掃くずが筐体１の外部に飛散することを防止することができる。
【００３１】
実施の形態１において、筐体１の内側及びカバー３は、清掃くずが固着しにくい材質で形成されている。このため、筐体１の内側及びカバー３に付着した清掃くずは、拭き取ること及び叩き落とすこと等により容易に除去できる。その結果、はんだこてクリーナ装置のメンテナンスが容易となる。
【００３２】
実施の形態２．
図２は、実施の形態２におけるはんだこてクリーナ装置の一例を示す斜視図である。以下、実施の形態１との相違点を中心にはんだこてクリーナ装置の構成を説明する。実施の形態１と同一又は相当する部分には同一の符号を付して、一部の説明を省略する。
【００３３】
図２に示すように、実施の形態２におけるはんだこてクリーナ装置は、実施の形態１で説明した構成に加えて、こて台８及び支持部９を備えている。こて台８は、支持部９によって筐体１に取り付けられている。こて台８は、例えば、カバー３の上方に配置されている。こて台８は、シート６に接触可能な領域にこて先が位置するように、はんだこてを支持する。つまり、こて台８は、清掃に適した位置にこて先を保持する。シート６は、はんだこてがこて台８に支持された状態で回転軸５が回転すると、当該はんだこてのこて先に繰り返し接触する。
【００３４】
こて台８及び支持部９は、こて台８の設置位置を変更可能に形成されている。このため、こて台８は、種々の形状及び大きさのはんだこてに対応可能である。
【００３５】
実施の形態２におけるはんだこてクリーナ装置は、図示しない第２センサを備えている。第２センサは、例えば、こて台８に設けられている。第２センサは、こて台８にかかる重量を検知する。第２センサにより重量が検知されると、回転軸５を回転させるモータが駆動を開始する。第２センサにより重量が検知されなくなると、当該モータは駆動を停止する。つまり、回転軸５は、第２センサにより重量が検知されている間に回転する。一方、回転軸５は、第２センサにより重量が検知されていない間は回転しない。
【００３６】
実施の形態２において、シート６は、はんだこてがこて台８に支持された状態で回転軸５が回転すると、当該はんだこてのこて先に繰り返し接触する。このため、作業者は、はんだこてをこて台８に置くだけで、こて先を適切な位置に保持して清掃できる。その結果、実施の形態２におけるはんだこてクリーナ装置によれば、作業者の技量に関係なくはんだこてのこて先を清掃することができる。
【００３７】
実施の形態２において、回転軸５は、第２センサの検知結果に基づいて回転を開始及び停止する。このため、はんだこてがこて台８に置かれていない状態で回転軸５が回転し続けることを防止できる。その結果、無駄な電力消費を抑制することができる。
【００３８】
なお、第２センサの精度は、実際にこて台８に支持されるはんだこての重量に応じて変更してもよい。例えば、第２センサは、予め設定された重量よりも軽い重量を検知しないように設定してもよい。この場合、はんだこて以外の物がこて台８に置かれることで回転軸５が回転を開始することを抑制出来る。
【００３９】
実施の形態２では、はんだこてクリーナ装置は、第１センサ及び第２センサの双方を備えている。しかしながら、本発明に係るはんだこてクリーナ装置は、第１センサ及び第２センサのうち一方のみを備えたものでもよい。例えば、はんだこてクリーナ装置は、こて台８及び第２センサを備え、第１センサを備えないものでもよい。また、例えば、はんだこてクリーナ装置は、第１センサ及びこて台８を備え、第２センサを備えないものでもよい。これらの場合であっても、第１センサ又は第２センサの検知結果に基づいて、回転軸５の回転を開始及び停止させることができる。
【００４０】
実施の形態１及び２では、筐体１の１つの側面全体が透明部２として形成されている。しかしながら、筐体１の内部に溜まった清掃くずを確認することが可能であれば、透明部２はどのように形成してもよい。例えば、透明部２として、筐体１の１つの側面の一部に透明な窓を形成してもよい。また、例えば、筐体１の全ての側面を透明に形成してもよい。
【００４１】
実施の形態１及び２では、筐体１の上面に相当する開口面が開口部として形成されている。そして、開口面に取り付けられたカバー３が有するスリット４が差入口として設けられている。しかしながら、差入口は、スリット４に限られるものではない。例えば、差入口として、筐体１自体の上面等に開口を形成してもよい。
【００４２】
実施の形態１及び２では、筐体１の内部にくず取り棒７が設けられているが、余剰はんだ捕捉チップを設けてもよい。余剰はんだ捕捉チップは、例えば、はんだ親和性を持たせるための表面処理を施した耐熱性材料で形成された部材である。
【符号の説明】
【００４３】
１  筐体、２  透明部、３  カバー、４  スリット、５  回転軸、５ａ  第１回転軸、５ｂ  第２回転軸、６  シート、６ａ  第１シート、６ｂ  第２シート、７  くず取り棒、７ａ  第１くず取り棒、７ｂ  第２くず取り棒、８  こて台、９  支持部
【図１】
2016002561.tif 000003
【図２】
2016002561.tif 000004